(57)【特許請求の範囲】
【請求項１】
外部機器と無線通信を行う無線通信部と、
ユーザの嗜好情報に基づき、ウェブサイトが更新される度に生成される更新内容が表された更新内容紹介情報を上記無線通信部を介して随時取得して記憶部に記憶し、取得した更新内容紹介情報と同一のウェブサイトの更新内容紹介情報がすでに上記記憶部に記憶されている場合、更新日時が新しい更新内容紹介情報だけを上記記憶部に記憶する取得部と、
記憶部に記憶された多数の位置情報から現在位置周辺の周辺位置情報を検出する位置情報検出部と、
上記取得部により取得された上記更新内容紹介情報から、上記位置情報検出部により検出された上記周辺位置情報に基づく特定の更新内容紹介情報を周辺更新内容紹介情報として検索する検索部と、
上記検索部により検索された周辺更新内容紹介情報を順番にユーザに提供する提供部と
を具える可搬型のナビゲーション装置。
【請求項２】
上記位置情報検出部は、
記憶部に記憶された多数の位置情報から、表示部に表示される現在位置周辺の地図画像に対応する範囲よりも広い範囲の周辺位置情報を検出する
請求項１に記載のナビゲーション装置。
【請求項３】
上記提供部は、
上記周辺更新内容紹介情報における所定部分の文字データを音声に変換して所定の音声出力部により順番に出力させる
を具える請求項２に記載のナビゲーション装置。
【請求項４】
上記取得部は、
上記嗜好情報及び上記周辺位置情報の両方に関連した更新内容紹介情報を取得する
請求項３に記載のナビゲーション装置。
【請求項５】
上記更新内容紹介情報は、
ＸＭＬ（eXtensible  Markup  Language）形式で記述されたＲＳＳ（Rich  Site  Summary）である
請求項３に記載のナビゲーション装置。
【請求項６】
移動体に保持される可搬型のナビゲーション装置の情報提供方法であって、
取得部が、ユーザの嗜好情報に基づき、ウェブサイトが更新される度に生成される更新内容が表された更新内容紹介情報を無線通信部を介して随時取得して記憶部に記憶し、取得した更新内容紹介情報と同一のウェブサイトの更新内容紹介情報がすでに上記記憶部に記憶されている場合、更新日時が新しい更新内容紹介情報だけを上記記憶部に記憶する取得ステップと、
位置情報検出部が、記憶部に記憶された多数の位置情報から現在位置周辺の周辺位置情報を検出する位置情報検出ステップと、
検索部が、上記取得部により取得された上記更新内容紹介情報から、上記位置情報検出部により検出された上記周辺位置情報に基づく特定の更新内容紹介情報を周辺更新内容紹介情報として検索する検索ステップと、
提供部が、上記検索部により検索された周辺更新内容紹介情報を順番にユーザに提供する提供ステップと
を有する情報提供方法。
【発明の詳細な説明】
【技術分野】
【０００１】
本発明は、ナビゲーション装置及び情報提供方法に関し、例えばカーナビゲーション装置に適用して好適なものである。
【背景技術】
【０００２】
従来、カーナビゲーション装置としては、例えばレストランや行楽施設等の関心地点を表すＰＯＩ（Point  Of  Interest）が地図データに対応付けられた状態でハードディスクドライブ等に登録されている。このＰＯＩを構成する要素としては、名称、緯度経度、住所、ジャンル、電話番号、ＵＲＩ（Uniform  Resource  Identifier）等が挙げられる。
【０００３】
またカーナビゲーション装置のなかには、主にウェブサイトの見出し及び要約等の更新情報を公開するのに用いられるＸＭＬ（eXtensible  Markup  Language）形式で記載されたＲＳＳ（Rich  Site  Summary）ファイルを所定のサーバから取得するようになされたものがある。
【０００４】
このカーナビゲーション装置は、ＰＯＩに対応した任意のジャンルがユーザによって選択されると、当該選択されたジャンルに基づき、レストランや行楽施設等の施設情報が記載されたＲＳＳファイルをサーバから取得する。そしてカーナビゲーション装置は、当該取得したＲＳＳファイルに記載された位置情報の地点を、ディスプレイに表示された地図画像上に示すようになされている（例えば、特許文献１参照）。
【特許文献１】特開２００７−２７８８０７公報
【発明の開示】
【発明が解決しようとする課題】
【０００５】
ところで上述したカーナビゲーション装置においては、ＰＯＩとして登録された名称、緯度経度、住所、ジャンル、電話番号、ＵＲＩ等に基づいて、施設情報が記載されたＲＳＳファイルをサーバから取得することになる。
【０００６】
このためカーナビゲーション装置は、ＰＯＩとして登録されていないキーワードを選択することがでないので、ユーザ所望のキーワードに対応したＲＳＳファイルを取得することができないという問題があった。
【０００７】
またカーナビゲーション装置は、ＰＯＩに基づいた施設情報を取得するだけであって、予めＰＯＩとして登録されている各種施設に関連したＲＳＳファイルを取得することができないため、更新直後の新規な情報を逸早くユーザに対して提供することができないという問題があった。
【０００８】
本発明は以上の点を考慮してなされたもので、現在位置周辺におけるユーザの嗜好に合致したフレッシュな情報を提供し得るナビゲーション装置及び情報提供方法を提案しようとするものである。
【課題を解決するための手段】
【０００９】
かかる課題を解決するため本発明の可搬型のナビゲーション装置においては、外部機器と無線通信を行う無線通信部と、ユーザの嗜好情報に基づき、ウェブサイトが更新される度に生成される更新内容が表された更新内容紹介情報を無線通信部を介して随時取得して記憶部に保存し、取得した更新内容紹介情報と同一のウェブサイトの更新内容紹介情報がすでに記憶部に保存されている場合、更新日時が新しい更新内容紹介情報だけを記憶部に保存する取得部と、所定の記憶部に記憶された多数の位置情報から現在位置周辺の周辺位置情報を検出する位置情報検出部と、取得部により取得された更新内容紹介情報から、位置情報検出部により検出された周辺位置情報に基づく特定の更新内容紹介情報を周辺更新内容紹介情報として検索する検索部と、検索部により検索された周辺更新内容紹介情報をユーザに提供する提供部とを設けるようにした。
【００１０】
これにより、可搬型のナビゲーション装置において、それぞれのウェブサイトにおける最新の更新内容紹介情報だけを記憶部に記憶しておき、ユーザの嗜好情報が含まれる更新内容紹介情報を周辺位置情報に基づいて検索し、当該検索した周辺更新内容紹介情報を順番に当該ユーザに提供することができる。
【００１１】
また本発明の情報提供方法においては、移動体に保持される可搬型のナビゲーション装置の情報提供方法であって、取得部が、ユーザの嗜好情報に基づき、ウェブサイトが更新される度に生成される更新内容が表された更新内容紹介情報を無線通信部を介して随時取得して記憶部に記憶し、取得した更新内容紹介情報と同一のウェブサイトの更新内容紹介情報がすでに記憶部に記憶されている場合、更新日時が新しい更新内容紹介情報だけを記憶部に記憶する取得ステップと、位置情報検出部が、記憶部に記憶された多数の位置情報から現在位置周辺の周辺位置情報を検出する位置情報検出ステップと、検索部が、取得部により取得された更新内容紹介情報から、位置情報検出部により検出された周辺位置情報に基づく特定の更新内容紹介情報を周辺更新内容紹介情報として検索する検索ステップと、提供部が、検索部により検索された周辺更新内容紹介情報を順番にユーザに提供する提供ステップと有するようにした。
【００１２】
これにより、可搬型のナビゲーション装置において、それぞれのウェブサイトにおける最新の更新内容紹介情報だけを記憶部に記憶しておき、ユーザの嗜好情報が含まれる更新内容紹介情報を周辺位置情報に基づいて検索し、当該検索した周辺更新内容紹介情報を順番に当該ユーザに提供することができる。
【発明の効果】
【００１３】
本発明によれば、可搬型のナビゲーション装置において、それぞれのウェブサイトにおける最新の更新内容紹介情報だけを記憶部に記憶しておき、ユーザの嗜好情報が含まれる更新内容紹介情報を周辺位置情報に基づいて検索し、当該検索した周辺更新内容紹介情報を順番に当該ユーザに提供することができ、所定の周辺位置情報に基づく周辺更新内容紹介情報だけを多数提供するのではなく、多くの周辺位置情報に基づく周辺更新内容紹介情報を１つずつ提供することができ、かくして現在位置周辺におけるユーザの嗜好に合致したフレッシュな情報を提供することができる。
【発明を実施するための最良の形態】
【００１４】
以下に、図面について、本発明の一実施の形態を詳述する。
【００１５】
（１）ＲＳＳ取得システム
図１に示すように、本発明の一実施の形態としてのＲＳＳ取得システム１は、ポータブル型ナビゲーション装置（以下、これをＰＮＤ（Personal  Navigation  Device）と呼ぶ）２、複数の無線アクセスポイント３（３ａ、３ｂ、３ｃ、・・・）及びサーバ４により構成されている。
【００１６】
ＰＮＤ２は、複数の無線アクセスポイント３のいずれかに無線接続すると、その無線アクセスポイント３及びインターネットＮＴを介してサーバ４と接続するようになされている。
【００１７】
ＰＮＤ２は、車両のダッシュボード上に吸盤５Ａを介して取付けられたクレードル５によって当該ＰＮＤ２が保持されると共に、当該ＰＮＤ２とクレードル５とが機械的かつ電気的に接続される。
【００１８】
これによりＰＮＤ２は、クレードル５を介して車両のバッテリから供給される電力により動作すると共に、当該クレードル５から取り外されたときには内蔵のバッテリから供給される電力によって独立した状態でも動作するようになされている。
【００１９】
またＰＮＤ２は、当該ＰＮＤ２における前面にディスプレイ６が設けられており、当該ＰＮＤ２に内蔵されたハードディスクドライブ（図示せず）に格納されている地図データに応じた地図画像等をディスプレイ６に対して表示し得るようになされている。
【００２０】
（２）ＰＮＤの回路構成
図２に示すようにＰＮＤ２は、ＣＰＵ（Central  Processing  Unit）１１がＲＯＭ（Read  Only  Memory）１２から読み出してＲＡＭ（Random  Access  Memory）１３に起動した基本プログラムに従い、バス１９を介して全体を統括制御するようになされている。
【００２１】
またＰＮＤ２は、ＣＰＵ１１がＲＯＭ１２から読み出してＲＡＭ１３に起動した各種アプリケーションプログラムに従って後述するＲＳＳ取得再生処理等の種々の処理を実現し得るようになされている。
【００２２】
このＰＮＤ２では、ＧＰＳ（Global  Positioning  System）アンテナＡＮＴによって受信した複数のＧＰＳ衛星からの衛星信号をＧＰＳモジュール１４へ送出する。ＧＰＳモジュール１４は、複数の衛星信号をそれぞれ復調することにより得られる軌道データと、複数のＧＰＳ衛星から車両までの距離データとに基づいて車両の現在位置を正確に測位することにより現在位置データを得、これをＣＰＵ１１へ送出する。
【００２３】
ＣＰＵ１１は、現在位置データを基に車両の現在位置が含まれる周辺の地図データをハードディスクドライブ１５から読み出し、その現在位置が含まれる地図画像を生成した後、ディスプレイ６へ出力することにより当該地図画像を表示するようになされている。
【００２４】
またＰＮＤ２のＣＰＵ１１は、ディスプレイ６の表面にユーザのタッチ操作を受け付けるタッチパネル１６が設けられている。ＰＮＤ２は、タッチパネル１６のタッチ操作に応じて、目的地として任意のＰＯＩが選択された場合、自車位置から当該ＰＯＩに対応した目的地までの到達経路等を探索し、その到達経路を表したナビゲーション地図画像をディスプレイ６に表示する。
【００２５】
このときＰＮＤ２のＣＰＵ１１は、到達経路が表されたナビゲーション地図画像をディスプレイ６に表示すると共に、車両が到達経路に従って目的地まで走行する間、ユーザの運転を誘導及び補助（以下、これらをナビゲートと呼ぶ）するための音声情報を生成し、当該音声情報をナビゲート音声としてスピーカ１７から出力する。
【００２６】
このようにしてＰＮＤ２では、ユーザ所望の目的地まで車両をナビゲートするナビゲーション機能を提供し得るようになされている。
【００２７】
またＰＮＤ２は、例えばＷＩ−ＦＩ（登録商標）モジュール等でなる無線通信ユニット１８が設けられており、当該無線通信ユニット１８により無線通信可能な無線アクセスポイント３（図１）を検索する。そしてＰＮＤ２は、無線通信可能な無線アクセスポイント３を発見した場合、当該発見した無線アクセスポイント３と無線接続することにより、当該無線アクセスポイント３及びインターネットＮＴを介してサーバ４と接続するようになされている。
【００２８】
（３）ＲＳＳ取得再生処理
次に、無線通信によりサーバ４から多数のＲＳＳファイルを取得し、当該多数のＲＳＳファイルの中から自車位置周辺のＰＯＩに基づいた特定のＲＳＳファイルを検索してユーザに提供するＲＳＳ取得再生処理手順について、ＣＰＵ１１による機能的ソフトウェア構成を示しながら説明する。
【００２９】
ＰＮＤ２のＣＰＵ１１は、例えば電源ボタン（図示せず）の押下操作に応じて、バッテリ（図示せず）から電源電力が供給されることにより当該ＰＮＤ２を起動させると、ＲＳＳ取得再生処理を実行するようになされている。
【００３０】
このときＰＮＤ２のＣＰＵ１１は、図３に示すように、アプリケーションプログラムに従ってＲＳＳ取得再生処理を実行する際、ＲＳＳ取得部２１、周辺ＰＯＩ検出部２２、データベース検索部２３、ＲＳＳ再生部２４及び音声変換部２５としてソフトウェア的に機能する。
【００３１】
ＲＳＳ取得部２１は、例えばタッチパネル１６に対するユーザのタッチ操作によってハードディスクドライブ１５に予め登録された例えば「野球」、「サッカー」及び「国内経済」等でなる嗜好キーワードが記載された嗜好キーワードデータＫＤをハードディスクドライブ１５から読み出す。
【００３２】
そしてＲＳＳ取得部２１は、その嗜好キーワードデータＫＤを無線通信ユニット１８、無線アクセスポイント３及びインターネットＮＴを介してサーバ４へ送信する。
【００３３】
このときサーバ４は、ＰＮＤ２から受け取った嗜好キーワードデータＫＤに記載された嗜好キーワードが含まれるＲＳＳファイルを全て検索し、その結果得られる全てのＲＳＳファイルの中からウェブサイトタイトル及び更新日時を抽出する。
【００３４】
そしてサーバ４は、当該抽出したウェブサイトタイトル及び更新日時が記載された新規更新データを生成し、その新規更新データをＰＮＤ２へ送信する。
【００３５】
ＲＳＳ取得部２１は、サーバ４から受け取った新規更新データに基づく全てのＲＳＳファイルをサーバ４からダウンロードすることにより取得し、当該全てのＲＳＳファイルをハードディスクドライブ１５のＲＳＳデータベース１５Ａに保存する。
【００３６】
またＲＳＳ取得部２１は、再度サーバ４から新規更新データを受け取った場合、ＲＳＳデータベース１５Ａに保存された複数のＲＳＳファイルのウェブサイトタイトルと、新規更新データに記載されたウェブサイトタイトルとをそれぞれ比較する。
【００３７】
そしてＲＳＳ取得部２１は、その比較結果としてウェブサイトタイトルが相互に一致した場合、ＲＳＳデータベース１５Ａに既に保存されたＲＳＳファイルの更新日時と、新規更新データに記載されたＲＳＳファイルの更新日時とを比較する。
【００３８】
ＲＳＳ取得部２１は、その比較結果としてＲＳＳデータベース１５Ａに既に保存されているＲＳＳファイルが更新されたことを認識したとき、更新後の新たなＲＳＳファイルを改めてサーバ４から取得し、当該更新後の新たなＲＳＳファイルをＲＳＳデータベース１５Ａに上書きすることにより保存する。
【００３９】
具体的には図４に示すように、ＲＳＳ取得部２１は、嗜好キーワードデータＫＤに記載された嗜好キーワードが含まれるＲＳＳファイル３１ａ〜３１ｎをサーバ４から取得し、当該ＲＳＳファイル３１ａ〜３１ｎをＲＳＳデータベース１５Ａに保存する。
【００４０】
一方、図５に示すように周辺ＰＯＩ検出部２２は、ＧＰＳモジュール１４から供給された現在位置データを基に自車位置周辺の地図画像をディスプレイ６に表示する際、自車位置アイコン４０と共に表示された「東都ドーム」のＰＯＩ４１及び「東都ホテル」のＰＯＩ４２（以下、これを周辺ＰＯＩ４１及び４２と呼ぶ）をＰＯＩデータＰＤ（図３）から読み出す。そして周辺ＰＯＩ検出部２２は、当該周辺ＰＯＩ４１及び４２をデータベース検出部２３に送出する。
【００４１】
データベース検索部２３は、ＲＳＳデータベース１５Ａに保存されたＲＳＳファイル３１ａ〜３１ｎから、周辺ＰＯＩ検出部２２から供給された周辺ＰＯＩ４１の文字列「東都ドーム」又は周辺ＰＯＩ４２の文字列「東都ホテル」が含まれるＲＳＳファイルを検索し、その検索結果データをＲＳＳ再生部２４へ送出する。
【００４２】
すなわちＲＳＳ再生部２４は、データベース検索部２３から供給された検索結果データに基づいて周辺ＰＯＩ４１の文字列「東都ドーム」又は周辺ＰＯＩ４２の文字列「東都ホテル」が含まれるＲＳＳファイル（以下、これを周辺ＲＳＳファイルと呼ぶ。）３１ｂ及び３１ｄをＲＳＳデータベース１５Ａから読み出す。
【００４３】
そしてＲＳＳ再生部２４は、ＲＳＳデータベース１５Ａから読み出した周辺ＲＳＳファイル３１ｂ及び３１ｄの例えばタイトル及び概要の文字データをそれぞれ抽出し、当該抽出した文字データを音声変換部２５へ送出する。
【００４４】
音声変換部２５は、ＲＳＳ再生部２４から供給された周辺ＲＳＳファイル３１ｂ及び３１ｄの文字データをそれぞれ音声情報に変換し、例えば周辺ＲＳＳファイル３１ｂ及び３１ｄの更新日時が早い順に、当該音声情報をＲＳＳ再生音声として１０秒間隔置きにスピーカ１７を介して出力する。これによりＰＮＤ２は、ユーザに対して周辺ＲＳＳファイル３１ｂ及び３１ｄのタイトル及び概要を音声により聴取させ得るようになされている。
【００４５】
このようにしてＰＮＤ２のＣＰＵ１１は、ユーザにより予め登録された嗜好キーワードが含まれるＲＳＳファイル３１ａ〜３１ｎをサーバ４から取得し、自車位置周辺の周辺ＰＯＩ４１又は４２の文字列が含まれる周辺ＲＳＳファイル３１ｂ及び３１ｄのタイトル及び概要をＲＳＳ再生音声としてユーザに聴取させ得るようになされている。
【００４６】
（４）ＲＳＳ取得再生処理手順
次に、ＰＮＤ２のＣＰＵ１１が、上述したように、嗜好キーワードが含まれた複数のＲＳＳファイル３１ａ〜３１ｎを取得し、周辺ＰＯＩ４１及び４２の文字列が含まれる周辺ＲＳＳファイル３１ｂ及び３１ｄを検索してＲＳＳ再生音声としてユーザに提供するまでのＲＳＳ取得再生処理手順について、図６のフローチャートを用いて説明する。
【００４７】
実際上、ＰＮＤ２のＣＰＵ１１は、ルーチンＲＴ１の開始ステップから入ってステップＳＰ１へ移り、ハードディスクドライブ１５に予め登録されている嗜好キーワードが記載された嗜好キーワードデータＫＤを読み出し、当該嗜好キーワードデータＫＤを無線通信ユニット１８を介してサーバ４へ送信した後、次のステップＳＰ２へ移る。
【００４８】
このときサーバ４は、ＰＮＤ２から受け取った嗜好キーワードデータＫＤに記載された嗜好キーワードが含まれるＲＳＳファイル３１ａ〜３１ｎを全て検索し、その結果得られる全てのＲＳＳファイル３１ａ〜３１ｎのウェブサイトタイトル及び更新日時が記載された新規更新データをＰＮＤ２へ送信する。
【００４９】
ステップＳＰ２においてＰＮＤ２のＣＰＵ１１は、サーバ４から受け取った検索結果データに基づいて、ＲＳＳファイル３１ａ〜３１ｎが更新されたか否かを判断し、肯定結果が得られると次のステップＳＰ３へ移るのに対し、否定結果が得られるとステップＳＰ４へ移る。
【００５０】
ステップＳＰ３においてＰＮＤ２のＣＰＵ１１は、サーバ４からＲＳＳファイル３１ａ〜３１ｎを改めてダウンロードすることにより取得し、当該取得したＲＳＳファイル３１ａ〜３１ｎをＲＳＳデータベース１５Ａに保存し、次のステップＳＰ４へ移る。
【００５１】
ステップＳＰ４においてＰＮＤ２のＣＰＵ１１は、ＧＰＳモジュール１４から供給された現在位置データを基に車両の自車位置アイコン４０が含まれた地図画像（図５）をディスプレイ６に表示すると共に、当該地図画像に表示された例えば「東都ドーム」の周辺ＰＯＩ４１及び「東都ホテル」の周辺ＰＯＩ４２を検出し、次のステップＳＰ５へ移る。
【００５２】
ステップＳＰ５においてＰＮＤ２のＣＰＵ１１は、ＲＳＳデータベース１５Ａに保存されたＲＳＳファイル３１ａ〜３１ｎから、周辺ＰＯＩ４１の文字列「東都ドーム」又は周辺ＰＯＩ４２の文字列「東都ホテル」が含まれる周辺ＲＳＳファイル３１ｂ及び３１ｄを検索し、次のステップＳＰ６へ移る。
【００５３】
ステップＳＰ６においてＰＮＤ２のＣＰＵ１１は、周辺ＲＳＳファイル３１ｂ及び３１ｄを再生するための再生ボタン（図示せず）が押下操作されたか否かを判断し、肯定結果が得られると、このことは、ユーザによって周辺ＲＳＳファイル３１ｂ及び３１ｄの情報を直ぐに聴取するために再生ボタンが押下操作されたことを表しており、ステップＳＰ８に移る。
【００５４】
これに対してステップＳＰ６において否定結果が得られると、このことは、再生ボタンが押下操作されていないことを表しており、このときＰＮＤ２のＣＰＵ１１は、次のステップＳＰ７へ移る。
【００５５】
ステップＳＰ７においてＰＮＤ２のＣＰＵ１１は、周辺ＲＳＳファイル３１ｂ及び３１ｄとは異なる他の周辺ＲＳＳファイル（図示せず）を再生してから例えば１０秒だけ時間が経過したか否かを判断し、肯定結果が得られると次のステップＳＰ８へ移り、否定結果が得られると、ステップＳＰ６へ戻る。
【００５６】
ステップＳＰ８においてＰＮＤ２のＣＰＵ１１は、ＲＳＳ再生音声以外のナビゲート音声等をスピーカ１７を介して出力しているか否かを判断し、肯定結果が得られると再度ステップＳＰ８に戻って、ＲＳＳ再生音声以外の音声出力が終了するまで待ち受ける。
【００５７】
これに対してステップＳＰ８において否定結果が得られると、このことは、現在全ての音声出力を行っていないことを表しており、このときＰＮＤ２のＣＰＵ１１は、次のステップＳＰ９へ移る。
【００５８】
ステップＳＰ９においてＰＮＤ２のＣＰＵ１１は、例えば周辺ＲＳＳファイル３１ｂが周辺ＲＳＳファイル３１ｄより更新日時が早い場合、ステップＳＰ５において検索した周辺ＲＳＳファイル３１ｂ及び３１ｄのうち、更新日時が早い周辺ＲＳＳファイル３１ｂのタイトル及び概要の文字データを抽出し、次のステップＳＰ１０へ移る。
【００５９】
ステップＳＰ１０においてＰＮＤ２のＣＰＵ１１は、ステップＳＰ９において抽出した文字データを音声情報に変換し、その音声情報をＲＳＳ再生音声としてスピーカ１７を介して出力し、次のステップＳＰ１１へ移る。
【００６０】
ステップＳＰ１１においてＰＮＤ２のＣＰＵ１１は、ディスプレイ６における地図画像に周辺ＰＯＩ４１及び４２とは異なる他の周辺ＰＯＩ（図示せず）が表示されたか否かを判断する。
【００６１】
ステップＳＰ１１において肯定結果が得られると、このことは、自車位置が移動されたことによって地図画像に周辺ＰＯＩ４１及び４２とは異なる他の周辺ＰＯＩが表示されたことを表しており、このときＰＮＤ２のＣＰＵ１１は、ステップＳＰ４へ戻って周辺ＰＯＩ４１及び４２とは異なる他の周辺ＰＯＩを再び検出する。
【００６２】
これに対してステップＳＰ１１において否定結果が得られると、このことは、自車位置が移動されていないことを表しており、このときＰＮＤ２のＣＰＵ１１は、次のステップＳＰ１２へ移る。
【００６３】
ステップＳＰ１２においてＰＮＤ２のＣＰＵ１１は、周辺ＲＳＳファイル３１ｂ及び３１ｄを全て再生したか否かを判断し、否定結果が得られると、まだ再生されていない周辺ＲＳＳファイル（この場合、周辺ＲＳＳファイル３１ｄ）が存在することを表しており、ＰＮＤ２のＣＰＵ１１は、次のステップＳＰ１３へ移る。
【００６４】
ステップＳＰ１３においてＰＮＤ２のＣＰＵ１１は、周辺ＲＳＳファイル３１ｂの次に再生すべき周辺ＲＳＳファイル３１ｄを選択し、ステップＳＰ６へ戻る。
【００６５】
そしてＰＮＤ２のＣＰＵ１１は、上述した通りにステップＳＰ６からステップＳＰ１１において、周辺ＲＳＳファイル３１ｄの文字データをＲＳＳ再生音声に変換し、当該ＲＳＳ再生音声をスピーカ１７を介して出力し、次のステップＳＰ１２へ移る。
【００６６】
ステップＳＰ１２においてＰＮＤ２のＣＰＵ１１は、周辺ＲＳＳファイル３１ｂ及び３１ｄを全て再生したか否かを再び判断し、肯定結果が得られると、ステップＳＰ１４へ移って処理を終了する。
【００６７】
（５）動作及び効果
以上の構成において、ＰＮＤ２のＣＰＵ１１は、ユーザ所望の嗜好キーワードが含まれる多数のＲＳＳファイル３１ａ〜３１ｎをサーバ４から取得し、当該多数のＲＳＳファイル３１ａ〜３１ｎをＲＳＳデータベース１５Ａに随時保存する。
【００６８】
そしてＰＮＤ２のＣＰＵ１１は、ＲＳＳデータベース１５Ａに保存された多数のＲＳＳファイル３１ａ〜３１ｎの中から、ＧＰＳモジュールにより測位された自車位置周辺における周辺ＰＯＩ４１又は４２の文字列が含まれる例えば周辺ＲＳＳファイル３１ｂ及び３１ｄを検索する。
【００６９】
そしてＰＮＤ２のＣＰＵ１１は、周辺ＰＯＩ４１又は４２の文字列が含まれる周辺ＲＳＳファイル３１ｂ及び３１ｄの例えばタイトル及び概要の文字データをＲＳＳ再生音声に変換し、当該ＲＳＳ再生音声を出力することにより、ユーザに対して周辺ＲＳＳファイル３１ｂ及び３１ｄのＲＳＳ情報を提供するようにした。
【００７０】
従ってＰＮＤ２は、ユーザの嗜好キーワードが含まれるＲＳＳファイル３１ａ〜３１ｎの中から、自車位置周辺における周辺ＰＯＩ４１又は４２の文字列が含まれる周辺ＲＳＳファイル３１ｂ及び３１ｄだけを検索し、その検索結果をユーザに対して提供することができる。
【００７１】
またＰＮＤ２は、自車位置が変更される度に、自車位置周辺の周辺ＰＯＩ４１及び４２を検出し、当該周辺ＰＯＩ４１又は４２の文字列が含まれる周辺ＲＳＳファイル３１ｂ及び３１ｄのＲＳＳ情報を提供する。これによりＰＮＤ２は、例えば自車位置周辺で行われているイベントや試合等のＲＳＳ情報をリアルタイムにユーザに対して提供することができ、かくしてユーザの行動を誘引することができる。
【００７２】
さらにＰＮＤ２は、ユーザに対して自動車を運転させているだけで自車位置周辺における周辺ＰＯＩ４１及び４２のＲＳＳ情報を取得させることができ、当該ユーザに対して何ら煩雑な操作を強いることなく、自車位置周辺におけるユーザ嗜好のＲＳＳ情報を容易に取得させることができる。
【００７３】
またＰＮＤ２は、ＲＳＳファイル３１ａ〜３１ｎを無線通信ユニット１８を介してリアルタイムで随時取得することができるので、ユーザに対して常にフレッシュなＲＳＳ情報を提供することができる。
【００７４】
さらにＰＮＤ２は、周辺ＰＯＩ４１又は４２の文字列が含まれるＲＳＳファイル３１ｂ及び３１ｄの文字データをＲＳＳ再生音声に変換してスピーカ１７を介して出力するので、ユーザにディスプレイ６を目視確認させることなく、一段と安全性を向上することができる。
【００７５】
以上の構成によれば、ユーザ所望の嗜好キーワードが含まれる多数のＲＳＳファイル３１ａ〜３１ｄをサーバ４から取得し、ＧＰＳモジュール１４により測位された自車位置周辺における周辺ＰＯＩ４１及び４２の文字列が含まれる周辺ＲＳＳファイル３１ｂ及び３１ｄを検索する。そしてＰＮＤ２は、当該周辺ＲＳＳファイル３１ｂ及び３１ｄの例えばタイトル及び概要をＲＳＳ再生音声に変換して出力するようにしたことにより、自車位置周辺におけるユーザ嗜好のフレッシュなＲＳＳ情報を提供することができる。
【００７６】
（６）他の実施の形態
なお上述した実施の形態においては、嗜好キーワードを予め登録するようにした場合について述べたが、本発明はこれに限らず、例えばＲＳＳ取得再生処理を開始する時、ユーザに対してタッチパネル１６のタッチ操作に応じて入力させるようにしても良い。また、ＲＳＳ取得再生処理の途中においても、任意の嗜好キーワードを登録できるようにしても良い。
【００７７】
また上述した実施の形態においては、嗜好キーワードデータＫＤをサーバ４に送信することにより、サーバ４が嗜好キーワードＫＤに記載された嗜好キーワードが含まれるＲＳＳファイル３１ａ〜３１ｎを検索するようにした場合について述べた。しかしながら本発明はこれに限らず、例えばＰＮＤ２のＣＰＵ１１は、嗜好キーワードデータＫＤ及び周辺ＰＯＩ４１又は４２の文字列データをサーバ４に送信し、当該嗜好キーワードデータＫＤに記載された嗜好キーワード及び周辺ＰＯＩ４１又は４２の文字列が含まれるＲＳＳファイル３１ｂ及び３１ｄを検索するようにしても良い。
【００７８】
さらに上述した実施の形態においては、サーバ４から取得したＲＳＳファイル３１ａ〜３１ｎの中から、周辺ＰＯＩ４１又は４２の文字列が含まれる周辺ＲＳＳファイル３１ｂ及び３１ｄを検出するようにした場合について述べた。しかしながら本発明はこれに限らず、ＰＮＤ２のＣＰＵ１１は、ＲＳＳファイル３１ａ〜３１ｎの中から、例えばＧＰＳモジュール１４により測位された自車位置の住所が含まれる周辺ＲＳＳファイル３１ｂ及び３１ｄを抽出するようにしても良い。
【００７９】
さらに上述した実施の形態においては、サーバ４から取得したＲＳＳファイル３１ａ〜３１ｎの中から、周辺ＰＯＩ４１又は４２の文字列が含まれる周辺ＲＳＳファイル３１ｂ及び３１ｄを検出するようにした場合について述べた。しかしながら本発明はこれに限らず、ＰＮＤ２のＣＰＵ１１は、ＲＳＳファイル３１ａ〜３１ｎの中から、例えば目的地に設定されたＰＯＩの文字列が含まれる周辺ＲＳＳファイルを抽出するようにしても良い。
【００８０】
さらに上述した実施の形態においては、周辺ＲＳＳファイル３１ｂ及び３１ｄの例えばタイトル及び概要をＲＳＳ再生音声に変換して出力するようにした場合について述べた。しかしながら本発明はこれに限らず、ＰＮＤ２のＣＰＵ１１は、周辺ＲＳＳファイル３１ｂ及び３１ｄの例えばタイトル及び概要をＲＳＳ再生音声に変換して出力すると共に、当該周辺ＲＳＳファイル３１ｂ及び３１ｄのタイトル及び概要をディスプレイ６に表示するようにしても良い。
【００８１】
さらに上述した実施の形態においては、周辺ＲＳＳファイル３１ｂ及び３１ｄの例えばタイトル及び概要をＲＳＳ再生音声に変換して出力するようにした場合について述べた。しかしながら本発明はこれに限らず、ＰＮＤ２のＣＰＵ１１は、周辺ＲＳＳファイル３１ｂ及び３１ｄの例えばタイトル及び概要以外にも、更新日時や見出し等をＲＳＳ再生音声に変換して出力するようにしても良い。
【００８２】
さらに上述した実施の形態においては、ＲＳＳ再生音声を出力する際、警告音等を出力することなく、ＲＳＳ再生音声を出力するようにした場合について述べた。しかしながら本発明はこれに限らず、ＰＮＤ２のＣＰＵ１１は、例えばＲＳＳ再生音声を出力する際、例えば「ピー」等の警告音を出力した後、ＲＳＳ再生音声を出力するようにしても良いし、ディスプレイ６を点滅させた後、ＲＳＳ再生音声を出力するようにしても良い。
【００８３】
これによりＰＮＤ２は、ユーザに対してＲＳＳ再生音声が出力されることを予め通知することにより、ユーザに対してＲＳＳ再生音声の聞き落としを防止させることができる。
【００８４】
さらに上述した実施の形態においては、バッテリから電源電力が供給されると、ＲＳＳ取得再生処理を実行するようにした場合について述べたが、本発明はこれに限らず、例えば、実行ボタンの押下操作等の所定のユーザ操作に応じてＲＳＳ取得再生処理を実行するようにしても良い。
【００８５】
さらに上述した実施の形態においては、嗜好キーワードデータＫＤをサーバ４に送信し、当該嗜好キーワードデータＫＤに記載された嗜好キーワードが含まれるＲＳＳファイルを当該サーバ４が検索するようにした場合について述べた。しかしながら本発明はこれに限らず、ＰＮＤ２は、例えば嗜好キーワードデータＫＤに記載された嗜好キーワードが含まれるＲＳＳファイルを検索するようにしても良い。
【００８６】
さらに上述した実施の形態においては、嗜好キーワードデータＫＤをサーバ４に送信し、当該嗜好キーワードデータＫＤに記載された嗜好キーワードが含まれるＲＳＳファイルを当該サーバ４が検索するようにした場合について述べた。しかしながら本発明はこれに限らず、ＰＮＤ２が、予め登録されたＵＲＩのウェブサイトに接続し、当該ウェブサイトのヘッダーに記載されたＲＳＳファイルの更新情報を取得することにより、当該ＲＳＳファイルが更新されたか否かを判断し、更新されていた場合、当該更新されたＲＳＳファイルをダウンロードして取得するようにしても良い。
【００８７】
さらに上述した実施の形態においては、ディスプレイ６に表示した地図画像上に示されるＰＯＩを周辺ＰＯＩとして検出するようにした場合について述べたが、本発明はこれに限らず、自車位置周辺の例えば１ｋｍに存在するＰＯＩを周辺ＰＯＩとして検出するようにしても良い。
【００８８】
さらに上述した実施の形態においては、ＰＮＤ２のＣＰＵ１１が、予めＲＯＭ１２に格納されているアプリケーションプログラムに従い、上述したルーチンＲＴ１のＲＳＳ取得再生処理手順を行うようにした場合について述べた。しかしながら本発明はこれに限らず、ＰＮＤ２のＣＰＵ１１が、記憶媒体からインストールしたアプリケーションプログラムや、インターネットからダウンロードしたアプリケーションプログラム、その他種々のルートによってインストールしたアプリケーションプログラムに従って上述したＲＳＳ取得再生処理手順を行うようにしても良い。
【００８９】
さらに上述した実施の形態においては、取得部としてＲＳＳ取得部２１、位置情報検出部として周辺ＰＯＩ検索２２、検索部としてデータベース検索部２３によって本発明のナビゲーション装置としてのＰＮＤ２を構成するようにした場合について述べた。しかしながら本発明はこれに限らず、この他種々の構成でなる取得部、位置情報検出部、検索部によってナビゲーション装置を構成するようにしても良い。
【産業上の利用可能性】
【００９０】
本発明のナビゲーション装置及び情報提供方法は、例えばＰＮＤ以外にもＧＰＳモジュールを搭載した携帯電話機、ＰＤＡ（Personal  Data  Assistance）、ノートブック型パーソナルコンピュータ、ゲーム機等のその他種々のモバイル機器に適用することができる。
【図面の簡単な説明】
【００９１】
【図１】ＲＳＳ取得システムの構成を示す略線図である。
【図２】ＰＮＤの回路構成を示す略線図である。
【図３】ＣＰＵの機能適ソフトウェア構成を示す略線図である。
【図４】ＲＳＳデータベースに記録されたＲＳＳの様子を示す略線図である。
【図５】周辺ＰＯＩを表示した地図画面を示す略線図である。
【図６】ＲＳＳ取得再生処理手順の説明に供するフローチャートである。
【符号の説明】
【００９２】
１……ＲＳＳ取得システム、２……ＰＮＤ、３……無線アクセスポイント、４……サーバ、５……クレードル、６……ディスプレイ、１１……ＣＰＵ、１２……ＲＯＭ、１３……ＲＡＭ、１４……ＧＰＳユニット、１５……ＨＤＤ、１５Ａ……ＲＳＳデータベース、１６……タッチパネル、１７……スピーカ、１８……無線通信ユニット、１９……バス、２１……ＲＳＳ取得部、２２……周辺ＰＯＩ検索部、２３……データベース検索部、２４……ＲＳＳ再生部、２５……音声変換部。
【図１】
0004543342.tif 000002
【図２】
0004543342.tif 000003
【図３】
0004543342.tif 000004
【図４】
0004543342.tif 000005
【図５】
0004543342.tif 000006
【図６】
0004543342.tif 000007